(57)【要約】【課題】  ユーザの入力する情報を少なくして、容易に各種情報を取得する電子音楽装置、サーバコンピュータおよびこれらに適用されるプログラムを提供すること。【解決手段】  電子音楽装置Ｍ１は、サーバコンピュータＳＣに対して、装置ＩＤ情報と共通メールページアクセス信号を送信する。サーバＳＣは、前記信号および装置ＩＤ情報を受信する。そして、装置ＩＤ情報に基づいて、ユーザデータベース１０６ａを検索し、電子音楽装置Ｍ１のユーザのメールボックスを特定する。また、サーバＳＣは、特定したボックス内の電子メールをコンテンツデータベース１０６ｂを検索して取得する。この取得した電子メールは、表示器１３の表示機能に基づいて調整されている。そして、取得した電子メールを電子音楽装置Ｍ１に送信する。これにより、ユーザは、表示器１３上にて電子メールを極めて容易に確認することができる。【選択図】  図８
2005181824.tif 000002
【特許請求の範囲】
【請求項１】
ネットワークに接続されて、同ネットワークに接続した外部の端末装置に対して電子メールを提供するサーバコンピュータにおいて、
前記外部の端末装置を識別するための識別情報と外部の端末装置のユーザを識別するためのユーザ情報とを関連付けて記憶する第１のデータベースと、
前記ユーザ情報によって特定される前記外部の端末装置のユーザの電子メールを記憶する第２のデータベースと、
前記外部の端末装置から識別情報を受信する受信手段と、
前記受信手段によって受信した識別情報に基づいて前記第１のデータベースを検索するとともに、前記外部の端末装置のユーザを特定するユーザ特定手段と、
前記ユーザ特定手段によって特定したユーザに基づいて前記第２のデータベースを検索するとともに、前記外部の端末装置に提供する電子メールを抽出する電子メール抽出手段と、
前記電子メール抽出手段によって抽出した電子メールを前記外部の端末装置に提供する電子メール提供手段とを備えたことを特徴とするサーバコンピュータ。
【請求項２】
請求項１に記載したサーバコンピュータにおいて、さらに、
前記外部の端末装置から前記識別情報を受信したか否かを判定する判定手段と、
前記外部の端末装置に対して、前記ユーザ情報を要求する要求手段と、
前記外部の端末装置から前記ユーザ情報を受信する第２の受信手段とを備え、
前記判定手段によって前記識別情報を受信していないと判定すると、前記要求手段が前記外部の端末装置に対して前記ユーザ情報を要求し、前記第２の受信手段が受信したユーザ情報に基づいて、前記電子メール抽出手段が前記第２のデータベースを検索して前記外部の端末装置に提供する電子メールを抽出することを特徴とするサーバコンピュータ。
【請求項３】
ネットワークに接続されて、同ネットワークに接続した外部の端末装置に対して電子掲示板に登録された電子掲示板情報を提供するサーバコンピュータにおいて、
前記外部の端末装置を識別するための識別情報と外部の端末装置の種類を特定するための種類情報とを関連付けて記憶する記憶する第１のデータベースと、
前記種類情報によって特定される前記外部の端末装置の種類と関連付けられた複数カテゴリーからなる電子掲示板情報を記憶する第２のデータベースと、
前記外部の端末装置から識別情報を受信する受信手段と、
前記受信手段によって受信した識別情報に基づいて前記第１のデータベースを検索するとともに、前記外部の端末装置の種類を特定する種類特定手段と、
前記種類特定手段によって特定した種類に基づいて、前記第２のデータベースから前記特定した種類と関連付けられたカテゴリーの電子掲示板情報を抽出する情報抽出手段と、
前記情報抽出手段によって抽出した電子掲示板情報を前記外部の端末装置に提供する情報提供手段とを備えたことを特徴とするサーバコンピュータ。
【請求項４】
請求項３に記載したサーバコンピュータにおいて、さらに、
前記外部の端末装置から前記識別情報を受信したか否かを判定する判定手段と、
前記外部の端末装置に対して、前記機種情報または電子掲示板のカテゴリーを識別するためのカテゴリー情報を要求する要求手段と、
前記外部の端末装置から前記機種情報または前記カテゴリー情報を受信する第２の受信手段とを備え、
前記判定手段によって前記識別情報を受信していないと判定すると、前記要求手段が前記外部の端末装置に対して前記機種情報またはカテゴリー情報を要求し、前記第２の受信手段が受信した機種情報またはカテゴリー情報に基づいて、前記情報抽出手段が前記第２のデータベースから前記外部の端末装置に提供する電子掲示板情報を抽出することを特徴とするサーバコンピュータ。
【請求項５】
楽音信号を発生するとともに、外部のサーバコンピュータと交信して電子メール情報または電子掲示板に登録された電子掲示板情報を取得する電子音楽装置において、
前記楽音信号の発生を制御するための楽音制御情報および前記電子メール情報または電子掲示板情報を識別可能に表示する表示手段と、
自機を識別するための識別情報を記憶する記憶手段と、
前記外部のサーバコンピュータに接続するとともに、前記外部のサーバコンピュータに対して前記記憶手段に記憶した識別情報を送信する接続送信手段と、
前記外部のサーバコンピュータから、ユーザに関連付けられた電子メール情報または自機の種類と関連付けられたカテゴリーの電子掲示板情報を受信する受信手段とを備えたことを特徴とする電子音楽装置。
【請求項６】
ネットワークに接続されて、同ネットワークに接続した外部の端末装置に対して電子メールを提供するサーバコンピュータに適用されて、
前記外部の端末装置から同端末装置を識別するための識別情報を受信するステップと、
前記受信した識別情報に基づいて、同識別情報と前記外部の端末装置のユーザを識別するためのユーザ情報とを互いに関連付けて記憶する第１のデータベースを検索し、前記外部の端末装置のユーザを特定するステップと、
前記特定したユーザに基づいて、前記外部の端末装置のユーザに対応した電子メールを記憶する第２のデータベースを検索し、前記外部の端末装置に提供する電子メールを抽出するステップと、
前記抽出した電子メールを前記外部の端末装置に提供するステップとを含むコンピュータ読み取り可能なプログラム。
【請求項７】
請求項６に記載したコンピュータ読み取り可能なプログラムにおいて、さらに、
前記外部の端末装置から前記識別情報を受信したか否かを判定するステップと、
前記識別情報を受信していないと判定すると、前記外部の端末装置に対して前記ユーザ情報を要求するステップと、
前記ユーザ情報を受信するステップとを備えたことを特徴とするコンピュータ読み取り可能なプログラム。
【請求項８】
ネットワークに接続されて、同ネットワークに接続した外部の端末装置に対して電子掲示板に登録された電子掲示板情報を提供するサーバコンピュータに適用されて、
前記外部の端末装置から同端末装置を識別するための識別情報を受信するステップと、
前記受信した識別情報に基づいて、同識別情報と前記外部の端末装置の種類を表す種類情報とを互いに関連付けて記憶する第１のデータベースを検索し、前記外部の端末装置の種類を特定するステップと、
前記特定した種類に基づいて、前記外部の端末装置の種類と関連付けられた複数カテゴリーからなる電子掲示板情報を記憶する第２のデータベースから前記特定した種類と関連付けられたカテゴリーの電子掲示板情報を抽出するステップと、
前記抽出した電子掲示板情報を前記外部の端末装置に提供するステップとを含むコンピュータ読み取り可能なプログラム。
【請求項９】
請求項８に記載したコンピュータ読み取り可能なプログラムにおいて、さらに、
前記外部の端末装置から前記識別情報を受信したか否かを判定するステップと、
前記識別情報を受信していないと判定すると、前記外部の端末装置に対して前記機種情報または電子掲示板のカテゴリーを識別するためのカテゴリー情報を要求するステップと、
前記機種情報またはカテゴリー情報を受信するステップとを備えたことを特徴とするコンピュータ読み取り可能なプログラム。
【請求項１０】
楽音信号を発生するとともに、外部のサーバコンピュータと交信して電子メール情報または電子掲示板情報を取得する電子音楽装置に適用されて、
前記外部のサーバコンピュータに接続するとともに、自機を識別するための識別情報を送信するステップと、
前記外部のサーバコンピュータから、ユーザに関連付けられた電子メール情報または自機の種類と関連付けられたカテゴリーの電子掲示板情報を受信するステップと、
前記受信した電子メール情報または電子掲示板情報を表示するステップとを含むコンピュータ読み取り可能なプログラム。
【発明の詳細な説明】
【技術分野】
【０００１】
本発明は、通信可能なサーバコンピュータから各種情報を取得する電子音楽装置に関する。
【背景技術】
【０００２】
従来から、例えば、下記特許文献１に示すように、電子掲示板のページ作成方法は知られている。この電子掲示板のページ作成方法は、投稿記事ページにおいて、指定された投稿記事の内容の表示部と階層リスト表示部とが表示されるようにページが作成されるようになっている。そして、ユーザは、希望する投稿記事ページを指定してアクセスするようになっている。
【０００３】
また、従来から、例えば、下記特許文献２に示すように、電子メール送受信方法も知られている。この電子メール送受信方法は、ＭＩＤＩデータからなる楽曲データが添付された電子メールを受信すると、表示装置に文字データと楽曲データを再生するための再生ボタンとを表示するようになっている。そして、ユーザは、電子メールアカウントを入力して、電子メールを送受信するようになっている。
【０００４】
上記した従来の電子掲示板のページ作成方法および電子メール送受信方法は、ユーザが各種情報の提供先を指定することによって、ユーザが情報を取得するようになっている。しかしながら、最近では、ユーザが使用するコンピュータ装置は多種多様であり、これに伴って、入力手段、例えば、キーボードやマウスなどを備えていないコンピュータ装置も存在する。このようなコンピュータ装置として、例えば、外部（サーバコンピュータ）と通信可能な電子音楽装置があり、この電子音楽装置を利用して、電子掲示板にアクセスしたり、電子メールを取得する際には、容易に情報の提供先を指定することができない場合がある。このため、ユーザがコンピュータ装置に入力する情報を少なくして、ユーザが容易に各種情報を取得できるようにすることが望まれている。
【０００５】
【特許文献１】特開２００２−１８３０３９号公報
【特許文献２】特開平１１−２０３２１７号公報
【発明の開示】
【０００６】
本発明は、上記した課題を解決するためになされたものであり、その目的は、ユーザの入力する情報を少なくして、容易に各種情報を取得する電子音楽装置、サーバコンピュータおよびこれらに適用されるプログラムを提供することにある。
【０００７】
本発明の特徴は、ネットワークに接続されて、同ネットワークに接続した外部の端末装置に対して電子メールを提供するサーバコンピュータにおいて、前記外部の端末装置を識別するための識別情報と外部の端末装置のユーザを識別するためのユーザ情報とを関連付けて記憶する第１のデータベースと、前記ユーザ情報によって特定される前記外部の端末装置のユーザの電子メールを記憶する第２のデータベースと、前記外部の端末装置から識別情報を受信する受信手段と、前記受信手段によって受信した識別情報に基づいて前記第１のデータベースを検索するとともに、前記外部の端末装置のユーザを特定するユーザ特定手段と、前記ユーザ特定手段によって特定したユーザに基づいて前記第２のデータベースを検索するとともに、前記外部の端末装置に提供する電子メールを抽出する電子メール抽出手段と、前記電子メール抽出手段によって抽出した電子メールを前記外部の端末装置に提供する電子メール提供手段とを備えたことにある。この場合、さらに、前記外部の端末装置から前記識別情報を受信したか否かを判定する判定手段と、前記外部の端末装置に対して、前記ユーザ情報を要求する要求手段と、前記外部の端末装置から前記ユーザ情報を受信する第２の受信手段とを備え、前記判定手段によって前記識別情報を受信していないと判定すると、前記要求手段が前記外部の端末装置に対して前記ユーザ情報を要求し、前記第２の受信手段が受信したユーザ情報に基づいて、前記電子メール抽出手段が前記第２のデータベースを検索して前記外部の端末装置に提供する電子メールを抽出するようにするとよい。
【０００８】
また、本発明の他の特徴は、ネットワークに接続されて、同ネットワークに接続した外部の端末装置に対して電子掲示板に登録された電子掲示板情報を提供するサーバコンピュータにおいて、前記外部の端末装置を識別するための識別情報と外部の端末装置の種類を特定するための種類情報とを関連付けて記憶する記憶する第１のデータベースと、前記種類情報によって特定される前記外部の端末装置の種類と関連付けられた複数カテゴリーからなる電子掲示板情報を記憶する第２のデータベースと、前記外部の端末装置から識別情報を受信する受信手段と、前記受信手段によって受信した識別情報に基づいて前記第１のデータベースを検索するとともに、前記外部の端末装置の種類を特定する種類特定手段と、前記種類特定手段によって特定した種類に基づいて、前記第２のデータベースから前記特定した種類と関連付けられたカテゴリーの電子掲示板情報を抽出する情報抽出手段と、前記情報抽出手段によって抽出した電子掲示板情報を前記外部の端末装置に提供する情報提供手段とを備えたことにもある。この場合、さらに、前記外部の端末装置から前記識別情報を受信したか否かを判定する判定手段と、前記外部の端末装置に対して、前記機種情報または電子掲示板のカテゴリーを識別するためのカテゴリー情報を要求する要求手段と、前記外部の端末装置から前記機種情報または前記カテゴリー情報を受信する第２の受信手段とを備え、前記判定手段によって前記識別情報を受信していないと判定すると、前記要求手段が前記外部の端末装置に対して前記機種情報またはカテゴリー情報を要求し、前記第２の受信手段が受信した機種情報またはカテゴリー情報に基づいて、前記情報抽出手段が前記第２のデータベースから前記外部の端末装置に提供する電子掲示板情報を抽出するようにするとよい。
【０００９】
これらによれば、サーバコンピュータは、外部の端末装置（例えば、電子音楽装置）から同端末装置の識別情報（ＩＤ）を受信することにより、外部の端末装置のユーザの電子メールや端末装置の種類と関連付けられたカテゴリーの電子掲示板情報を提供することができる。したがって、外部の端末装置のユーザは、電子メールや電子掲示板情報を取得するために、例えば、ユーザ名やパスワードを入力する必要がない。このため、外部の端末装置が入力手段（例えば、キーボードやマウスなど）を備えていなくても、ユーザは、極めて容易に電子メールや電子掲示板情報を取得することができる。また、外部の端末装置から識別情報が送信されない場合には、サーバコンピュータは、端末装置に対して、ユーザ情報や機種情報、カテゴリー情報を要求する。このため、外部の端末装置が、例えば、汎用端末装置（ＰＤＡ、パソコンなど）であってもサーバコンピュータにアクセスして、電子メール情報や掲示板情報を取得することができて、好適である。この場合には、機能的に十分な入力手段を備えているため、ユーザは、サーバコンピュータから要求された情報を極めて容易に入力することができる。
【００１０】
また、本発明の他の特徴は、楽音信号を発生するとともに、外部のサーバコンピュータと交信して電子メール情報または電子掲示板に登録された電子掲示板情報を取得する電子音楽装置において、前記楽音信号の発生を制御するための楽音制御情報および前記電子メール情報または電子掲示板情報を識別可能に表示する表示手段と、自機を識別するための識別情報を記憶する記憶手段と、前記外部のサーバコンピュータに接続するとともに、前記外部のサーバコンピュータに対して前記記憶手段に記憶した識別情報を送信する接続送信手段と、前記外部のサーバコンピュータから、ユーザに関連付けられた電子メール情報または自機の種類と関連付けられたカテゴリーの電子掲示板情報を受信する受信手段とを備えたことにもある。
【００１１】
これらによれば、電子音楽装置から例えば、ウェブ（ＷＥＢ）上に設けられた外部のサーバコンピュータに接続する際に、自動的に自機の識別情報（ＩＤ）を送信することで、電子メールや自機の種類と関連付けられたカテゴリーの電子掲示板情報を取得することができる。このため、ユーザは、電子メールや電子掲示板情報を取得するために、例えば、ユーザ名やパスワードを入力する必要がない。したがって、別途入力手段（例えば、キーボードやマウスなど）を備えていなくても、ユーザは、極めて容易に情報を取得することができる。
【００１２】
さらに、本発明の他の特徴は、前記と同様な電子音楽装置およびサーバコンピュータに適用され、前記のような機能を実現するコンピュータ読み取り可能なプログラムにもある。
【発明を実施するための最良の形態】
【００１３】
１．第１実施形態
以下に、本発明の第１実施形態を図面を用いて説明する。図１は、ネットワークＮＷに通信可能に接続された本発明に係る電子音楽装置Ｍ１、電子音楽装置Ｍ２およびサーバコンピュータＳＣと、ネットワークＮＷに通信可能に接続された汎用端末装置Ｈ（例えば、パーソナルコンピュータや携帯電話など）とをブロック図により示している。
【００１４】
電子音楽装置Ｍ１は、例えば電子楽器であって、図２に示すように、鍵盤１１、パネル操作子群１２および表示器１３を備えている。鍵盤１１は、演奏操作子としての複数の鍵からなり、各鍵の押離鍵により楽音信号の発生および停止が指示される。これらの鍵の押離鍵は、バス２０に接続された検出回路１４内に各鍵に対応して設けられた鍵スイッチのオン・オフによってそれぞれ検出される。
【００１５】
パネル操作子群１２は、電子音楽装置Ｍ１の前面パネル（詳しくは、表示器１３の周辺）に設けられてプッシュボタンを含む多数の操作子より構成されており、電子音楽装置Ｍ１の種々の動作を指示するために操作される。これらのパネル操作子群１２の操作は、バス２０に接続された検出回路１５内に各操作子に対応して設けられた操作子スイッチのオン・オフによってそれぞれ検出される。表示器１３は、液晶ディスプレイなどで構成されており、文字、符号、図形や後述するサーバコンピュータＳＣから取得した電子メールの内容などを表示する。この表示器１３は、その表示可能領域が広く（すなわち解像度が高く）、また、カラー表示可能とされていて、バス２０に接続された表示制御回路１６によって表示態様が制御される。
【００１６】
バス２０には、ＣＰＵ３１、タイマ３２、ＲＯＭ３３、ＲＡＭ３４、外部記憶装置３５、音源回路４１およびサウンドシステム４２が接続されている。ＣＰＵ３１、タイマ３２、ＲＯＭ３３およびＲＡＭ３４は、マイクロコンピュータ本体部を構成するものであり、電子音楽装置Ｍ１の各種動作をプログラムの実行により制御する。
【００１７】
ＲＯＭ３３には、図３に示すように、各種記憶エリアが設けられている。各種プログラム記憶エリアには、システムプログラム、電子音楽装置Ｍ１の各種機能を実現するための一部のプログラム、後述する図８に示す電子音楽装置側プログラムなどが記憶されている。スタイルデータ記憶エリアには、電子音楽装置Ｍ１にて対応可能なジャス、ロック、ワルツやマーチなどの自動伴奏の種類ごとに用意されていて伴奏音の発生を制御するための一連の伴奏制御データが記憶されている。楽音データ記憶エリアには、電子音楽装置Ｍ１にて自動演奏可能なデモンストレーション用の自動演奏データが記憶されている。
【００１８】
音色データ記憶エリアには、電子音楽装置Ｍ１にて対応可能な音色名を分類分けして記憶した音色テーブルが設けられるとともに、各音色の楽音信号を音源回路４１にて合成するために音色ごとに用意された音色パラメータ群が記憶されている。効果データ記憶エリアには、電子音楽装置Ｍ１にて対応可能な効果名を分類分けして記憶した効果テーブルが設けられるとともに、音源回路４１にて楽音信号に付与される効果ごとに用意された効果パラメータ群が記憶されている。
【００１９】
レジストレーションデータ記憶エリアには、複数組のレジストレーションデータが記憶されている。一組のレジストレーションデータは、楽音信号の音色、効果、スタイル（自動伴奏パターンの種類）などの楽音信号の各種発生態様を制御するための複数種類の制御データからなる。そして、一組のレジストレーションデータを指定するだけで、パネル操作子群１２の種々の操作によって設定される楽音制御状態が実現されるようになっている。その他データ記憶エリアには、ユーザが使用する電子音楽装置Ｍ１に予め割り当てられた固有の装置ＩＤ情報などが記憶されている。この装置ＩＤは、例えば、同じ電子音楽装置Ｍ１であっても、個体ごとに異なる値が割り振られたもので、製造番号のようなものでもよいし、それ以外のものであってもよい。なお、予めＲＯＭ３３に記憶されているものに限らず、電子音楽装置を購入後、任意の時点でフラッシュメモリなどに記憶したものであってもよい。
【００２０】
外部記憶装置３５は、電子音楽装置Ｍ１に予め組み込まれているハードディスクＨＤ、電子音楽装置Ｍ１に装着可能なコンパクトディスクＣＤ、フレキシブルディスクＦＤなどの種々の記録媒体と、同記録媒体に対するドライブユニットを含むものであり、大量のデータおよびプログラムを記憶および読み出し可能にしている。これらの記録媒体には、ＲＯＭ３３の場合と同種であるが、ＲＯＭ３３の場合とは異なる、多種類のプログラム、スタイルデータ、楽曲データ、音色データ、効果データ、レジストレーションデータが記憶されている。
【００２１】
音源回路４１は、ＣＰＵ３１からの演奏情報（例えば、鍵盤１１のキーオン信号、キーオフ信号など）に基づいて楽音信号を形成するとともに、形成された楽音信号にリバーブ、コーラスなどの効果を付与し、同効果の付与された楽音信号を出力する。この音源回路４１によって形成される楽音信号の音色を含む楽音要素および同楽音信号に付与される効果は、ＣＰＵ３１による制御のもとに、ＲＯＭ３３または外部記憶装置３５（場合によっては、ＲＡＭ３４）から供給される音色パラメータおよび効果パラメータを含む制御パラメータによって制御される。この場合、一般的には、ＲＯＭ３３内に音色テーブルに対応させて記憶されている音色パラメータおよび効果パラメータに加えて、ＲＯＭ３３内のレジストレーションデータに含まれる音色パラメータおよび効果パラメータまたは外部記憶装置３５内に記憶されている音色パラメータおよび効果パラメータも利用される。ただし、この音源回路４１は、機種によってその性能が異なり、音色を含む対応可能な楽音要素および楽音信号に付与される効果には種々の制限が加えられているようになっている。
【００２２】
音源回路４１から出力された楽音信号は、サウンドシステム４２に供給される。サウンドシステム４２は、アンプ、スピーカなどからなり、前記供給された楽音信号に対応した楽音を発音する。
【００２３】
また、バス２０には、インターフェース回路５１も接続されている。インターフェース回路５１は、他の電子音楽装置、パーソナルコンピュータなどの外部電子音楽装置５２から、自動演奏データ、楽音制御データなどの各種データおよび各種プログラムを入力する。また、このインターフェース回路５１は、ネットワークＮＷ（例えば、インターネットなど）を介して、サーバコンピュータＳＣと接続可能となっていて、サーバコンピュータＳＣが提供する各種コンテンツ、各種プログラムおよびデータの更新を可能としている。
【００２４】
電子音楽装置Ｍ２も、図２に示すように、電子音楽装置Ｍ１と同様の構成とされている。このため、電子音楽装置Ｍ２の各構成部分の機能についても電子音楽装置Ｍ１の各構成部分の機能と同様であるため、その詳細な説明は省略する。ただし、表示器１３’は、電子音楽装置Ｍ１の表示器１３と異なっている。すなわち、電子音楽装置Ｍ２の表示器１３’は、液晶ディスプレイなどで構成されており、文字、符号、図形やサーバコンピュータＳＣから取得した電子メールの内容などを表示する点において、電子音楽装置Ｍ１の表示器１３と同様である。しかしながら、この表示器１３’は、その表示可能領域が狭く（すなわち解像度が低く）、また、白黒表示のみ可能とされている。
【００２５】
また、汎用端末装置Ｈは、図２に示すように、電子音楽装置Ｍ１，Ｍ２の鍵盤１１、パネル操作子群１２および検出回路１４，１５が省略されて構成されている。その他の構成部分については、電子音楽装置Ｍ１，Ｍ２の構成部分と同様に機能するために、表示器１１３、表示制御回路１１６、ＣＰＵ１３１、タイマ１３２、ＲＯＭ１３３、ＲＡＭ１３４、外部記憶装置１３５、音源回路１４１、サウンドシステム１４２、インターフェース回路１５１、外部電子音楽装置１５２の符号を付し、これらの構成部分の詳細な説明を省略する。また、汎用端末装置Ｈには、図２にて破線で示すように、キーボード１６１、マウス１６１ａおよび表示器１６３が設けられている。キーボード１６１は、複数の操作子からなり、汎用端末装置Ｈのバス１２０に接続された検出回路１６２内に各操作子に対応して設けられた操作子スイッチのオン・オフによってそれぞれ検出される。マウス１６１ａは、キーボード１６１を介して検出回路１６２に接続されており、このマウス１６１ａの移動方向、移動量およびクリックの有無も検出回路１６２により検出される。
【００２６】
表示器１６３は、液晶ディスプレイなどで構成されており、文字、符号、図形やサーバコンピュータＳＣから取得した電子メールの内容などを表示する。この表示器１６３は、その表示可能領域が広く（すなわち解像度が高く）、また、カラー表示可能とされていて、汎用端末装置Ｈのバス１２０に接続された表示制御回路１１６によって表示態様が制御される。また、汎用端末装置ＨのＲＯＭ１３３内には、図８に示す汎用端末装置側プログラムを含む各種プログラムおよび各種データなどが予め記憶されている。
【００２７】
サーバコンピュータＳＣは、図４のブロック図に示すように、バス２００に接続されたＣＰＵ２０１、タイマ２０２、ＲＯＭ２０３、ＲＡＭ２０４および外部記憶装置２０５を備えている。ＣＰＵ２０１は、プログラムを実行して、サーバコンピュータＳＣの各種動作を統括的に制御する。タイマ２０２は、時間を計測するものである。ＲＯＭ２０３は、システムプログラム、サーバコンピュータＳＣの各種機能を実現するための一部のプログラム、各種データなどを予め記憶している。ＲＡＭ２０４は、プログラムおよびプログラムの実行時に利用されるファイルを一時的に記憶する。
【００２８】
外部記憶装置２０５は、ハードディスクＨＤ、コンパクトディスクＣＤ、フレキシブルディスクＦＤなどの種々の記録媒体と、同各記録媒体に対するドライブユニットを含むものである。これらの記録媒体は、大量のデータおよびプログラムを記憶および呼び出し可能にしており、図８に示すサーバコンピュータ側プログラムを含む各種プログラムを記憶している。また、ハードディスクＨＤ内には、ユーザデータベース２０６ａ、電子メールデータベース２０６ｂが構築されている。
【００２９】
ユーザデータベース２０６ａは、電子音楽装置Ｍ１、電子音楽装置Ｍ２および汎用端末装置ＨからサーバコンピュータＳＣにアクセスがあったときに、各装置Ｍ１，Ｍ１，Ｈのユーザを特定するためのユーザ情報を検索可能に記憶している。このユーザ情報は、ユーザ名、パスワードおよびユーザが取得した電子メールを送受信するための電子メール情報（例えば、メールアカウントやパスワードなど）から構成されるものである。そして、ユーザが電子音楽装置Ｍ１，Ｍ２を使用する場合には、ユーザデータベース２０６ａは、各装置Ｍ１．Ｍ２の装置ＩＤ情報および機種を特定するための機種情報（例えば、Ｍ１，Ｍ２など）をユーザ情報に関連付けて（紐付けして）記憶している。また、ユーザデータベース２０６ａは、後述するように、電子メールデータベース２０６ｂに構築されたメールボックスを特定するためのメールボックス特定情報もユーザ情報に関連付けて（紐付けして）記憶している。
【００３０】
電子メールデータベース２０６ｂは、ユーザの電子メール情報およびメールボックス特定情報に関連付けられたメールボックスが構築されている。このメールボックスは、サーバコンピュータＳＣ（詳しくは、ＣＰＵ２０１）が実行する周知の電子メール送受信処理に係る電子メールを一時的に記憶するようになっている。このとき、ＣＰＵ２０１は、メールボックスに関連付けられた電子メール情報を利用して、前記電子メール送受信処理を実行する。また、メールボックスに記憶されてユーザが利用する電子音楽装置Ｍ１，Ｍ２に配信される電子メールは、配信される装置Ｍ１，Ｍ２の機種に応じて、その表示態様が適宜調整されるようになっている。すなわち、電子音楽装置Ｍ１，Ｍ２の表示機能を考慮して、例えば、電子音楽装置Ｍ１に配信する電子メールは、表示文字が大きくカラー表示とし、電子音楽装置Ｍ２に配信する電子メールは、表示文字を小さく白黒表示するように適宜調整されて記憶されている。
【００３１】
また、バス２００には、通信インターフェース回路２０７（以下、通信Ｉ／Ｆ２０７という）も接続されている。この通信Ｉ／Ｆ２０７は、ネットワークＮＷに接続されており、サーバコンピュータＳＣの電子音楽装置Ｍ１，Ｍ２、汎用端末装置Ｈとの通信を可能としている。
【００３２】
次に、上記のように構成した第１実施形態の動作を説明する。まず、電子音楽装置Ｍ１，Ｍ２の一般的な動作について簡単に説明しておく。電子音楽装置Ｍ１，Ｍ２のユーザは、パネル操作子群１２を操作することにより、音源回路４１にて形成される楽音信号のスタイル（伴奏音の種類）、音色などに加え、楽音信号に付与される効果などを設定する。これを、図５に基づいて具体的に説明する。ユーザが電子音楽装置Ｍ１，Ｍ２を起動すると、ＣＰＵ３１は、ＲＯＭ３３内に記憶されている図示しない所定のプログラムを実行し、表示器１３，１３’に対して、図５（ａ）に示すように、初期画面（以下、トップメニュー画面という）を表示させる。これにより、ユーザは、表示器１３，１３’上に表示されたトップメニュー画面の各項目に隣接して設けられたパネル操作子群１２を構成するプッシュボタン１２ａ〜１２ｆを押下操作することによって、所望の項目を選択する。
【００３３】
すなわち、表示器１３，１３’に表示された”音色”に隣接するプッシュボタン１２ａが押下操作されると、ＣＰＵ３１は、表示器１３，１３’の表示画面を、図５（ｂ）に示すように遷移させる。これにより、ユーザは、希望する音色名や、画面送りを表す”次へ”または画面戻りを表す”戻る”に隣接するプッシュボタン１２ａ〜１２ｆを押下操作することにより、所望の音色を選択する。また、トップメニュー画面にて、”伴奏スタイル”に隣接するプッシュボタン１２ｂが押下操作されると、ＣＰＵ３１は、表示器１３，１３’の表示画面を、図５（ｃ）に示すように遷移させる。これにより、ユーザは、自動伴奏を希望する伴奏スタイル名や、”次へ”または”戻る”に隣接するプッシュボタン１２ａ〜１２ｆを押下操作することにより、所望の伴奏スタイルを選択する。また、トップメニュー画面にて、”ソング”に隣接するプッシュボタン１２ｅが押下操作されると、ＣＰＵ３１は、表示器１３，１３’の表示画面を、図５（ｄ）に示すように遷移させる。これにより、ユーザは、自動演奏を希望する曲名や、”次へ”または”戻る”に隣接するプッシュボタン１２ａ〜１２ｆを押下操作することにより、所望の曲名を選択する。
【００３４】
このような操作により、ＲＯＭ３３または外部記憶装置３５に記憶されていた音色、効果、伴奏スタイル、楽曲などに関する種々のデータが音源回路４１に送られ、または、ＲＡＭ３４内に書き込まれる。その後、ユーザが鍵盤１１を用いて演奏操作すれば、音源回路４１は、所望の音色および効果を有する楽音信号を前記演奏に従って発生する。また、この楽音信号を前記選択された所望の伴奏スタイルに対応した自動演奏パターンで発生させたり、所望の伴奏スタイルに対応した伴奏音信号を前記演奏による楽音信号と並行させて音源回路４１に発生させる。さらに、前記選択された曲に対応した自動演奏信号を発生させることもできる。このようにして、音源回路４１から発生される楽音信号は、サウンドシステム４２に供給され、サウンドシステム４２から楽音として発音される。
【００３５】
また、ユーザは、トップメニュー画面に表示された”ＩＮＴＥＲＮＥＴ”に隣接するプッシュボタン１２ｆを押下操作することにより、ネットワークＮＷを介して、サーバコンピュータＳＣにアクセスして、各種コンテンツデータを取得することができる。このように、電子音楽装置Ｍ１，Ｍ２がサーバコンピュータＳＣにアクセスすることにより、サーバコンピュータＳＣは、電子音楽装置Ｍ１，Ｍ２の機種ごとに予め設定されたコンテンツを取得するためのメニュー（以下、コンテンツメニューをいう）を表す情報を送信する。
【００３６】
電子音楽装置Ｍ１，Ｍ２においては、前記コンテンツメニューを表す情報を取得すると、表示器１３，１３’に図６に示すようなコンテンツメニュー画面を表示する。このとき、コンテンツメニュー画面は、電子音楽装置Ｍ１，Ｍ２ごとに設定されているため、表示器１３，１３’の表示機能に対応した表示態様によって表示される。すなわち、図６（ａ）に示すように、電子音楽装置Ｍ１は、表示器１３を備えているため、表示される文字などが大きく表示されるとともにカラー表示される。また、電子音楽装置Ｍ２は、図６（ｂ）に示すように、表示器１３’を備えているため、表示される文字などが小さく表示されるとともに白黒表示される。
【００３７】
このように、コンテンツメニューが表示されると、ユーザは、所望する情報を取得するために、プッシュボタン１２ａ〜１２ｆを押下操作して各種コンテンツを取得することができる。そして、ユーザによって、”電子メール”に隣接するプッシュボタン１２ｂが押下操作されると、電子音楽装置Ｍ１，Ｍ２は、サーバコンピュータＳＣにユーザごとに構築されたメールボックスから電子メールを受信したり、電子メールを送信したりすることができる。また、メールボックスには、汎用端末装置Ｈもアクセスすることができる。これにより、ユーザが電子音楽装置Ｍ１，Ｍ２に代えて、汎用端末装置Ｈを利用した場合であっても、メールボックスを利用して電子メールを送受信することができる。以下、この電子メールの送受信について説明する。
【００３８】
この第１実施形態においては、図７に概略的に示すように、電子音楽装置Ｍ１，Ｍ２およびユーザが使用する汎用端末装置Ｈは、ユーザごとに構築されたメールボックスを利用して電子メールを送受信する。具体的に説明すると、電子音楽装置Ｍ１，Ｍ２および汎用端末装置Ｈは、サーバコンピュータＳＣの共通メールページにアクセスすると、サーバコンピュータＳＣは、電子音楽装置Ｍ１，Ｍ２、汎用端末装置Ｈのメールボックスをユーザデータベース２０６ａを利用して特定する。そして、電子音楽装置Ｍ１，Ｍ２、汎用端末装置Ｈにユーザ宛の電子メールを送信したり、ユーザから送信された電子メールを外部に送信したりする。
【００３９】
これを、図８に示す電子メール送受信プログラムのフローチャートを用いて詳細に説明する。なお、電子メールの取得に際し、電子音楽装置Ｍ１，Ｍ２は、それぞれ同一の電子メール送受信プログラムを実行して、電子メールを送受信する。したがって、以下の説明においては、電子音楽装置Ｍ１を例示して、詳細に説明する。この電子メール送受信プログラムは、電子音楽装置Ｍ１のＣＰＵ３１、汎用端末装置ＨのＣＰＵ１３１およびサーバコンピュータＳＣのＣＰＵ２０１によって実行される。すなわち、電子音楽装置Ｍ１のＣＰＵ３１は、所定の短時間ごとに、ステップＭ１０にて電子メール送受信プログラムの実行を開始し、ステップＭ１１にて、ユーザにより”電子メール”が選択されたか否かを判定する。コンテンツメニュー画面において、ユーザによりプッシュボタン１２ｂが押下操作されていなければ、「Ｎｏ」と判定して、ステップＭ１６に進み、プログラムの実行を一旦終了する。
【００４０】
一方、ユーザによって、プッシュボタン１２ｂが押下操作されていれば、「Ｙｅｓ」と判定して、ステップＭ１２に進む。ステップＭ１２においては、ＣＰＵ３１は、サーバコンピュータＳＣのＣＰＵ３１に対して、共通メールページにアクセスするための共通メールページアクセス信号および装置ＩＤ情報を送信する。具体的に説明すると、ＣＰＵ３１は、予めＲＯＭ３３に記憶されている共通メールページアクセス情報（たとえは、ＵＲＬ（Uniform Resource Locator）情報など）を取得する。また、ＣＰＵ３１は、ＲＯＭ３３などに記憶されている装置ＩＤ情報を取得する。そして、インターフェース回路５１およびネットワークＮＷを介して、取得した共通メールページアクセス情報に基づいて共通ページアクセス信号を送信するとともに、装置ＩＤ情報を送信する。
【００４１】
一方、汎用端末装置Ｈにおいては、ＣＰＵ１３１が、所定に短時間ごとに、ステップＣ１０にて電子メール送受信プログラムの実行を開始し、ステップＣ１１にて、共通メールページアクセス信号を送信する。具体的に説明すると、ＣＰＵ１３１は、図示しないブラウザプログラムを実行し、ユーザに共通メールページアクセス情報を入力するように促す。ユーザは、キーボード１６１およびマウス１６１ａを利用して、例えば、サーバコンピュータＳＣの共通メールページのＵＲＬを入力する。このように、共通メールページアクセス情報が入力されると、ＣＰＵ１３１は、インターフェース回路１５１およびネットワークＮＷを介して、入力された共通メールページアクセス情報に基づいて共通ページアクセス信号を送信し、サーバコンピュータＳＣにアクセスする。
【００４２】
サーバコンピュータＳＣにおいては、ＣＰＵ２０１が、ステップＳ１０にて、前記ステップＭ１２またはステップＣ１１の送信処理によって送信された各情報を受信し、ＲＡＭ２０４に一時的に記憶する。
【００４３】
前記ステップＳ１０の受信処理後、ステップＳ１１にて、現在のアクセスが汎用端末装置Ｈからのアクセスであるか否かを判定する。すなわち、ＣＰＵ２０１は、前記ステップＳ１０にて装置ＩＤ情報を受信していれば、「Ｎｏ」と判定して、ステップＳ１３に進む。一方、装置ＩＤ情報を受信していなければ、「Ｙｅｓ」と判定して、ステップＳ１２に進む。ステップＳ１２においては、汎用端末装置Ｈに対して、ユーザ名およびパスワードを要求する画面データを送信するとともに送信されたユーザ名およびパスワードを受信する。汎用端末装置Ｈにおいては、ＣＰＵ１３１が前記ステップＳ１２からの要求画面データに従って、ユーザに対して、ユーザ名およびパスワードを入力する画面を表示する。ユーザは、表示器１１３に表示された入力画面に従って、予めサーバコンピュータＳＣに登録したユーザ名およびパスワードを入力する。これにより、ＣＰＵ１３１は、入力されたユーザ名およびパスワードをサーバコンピュータＳＣに送信する。
【００４４】
サーバコンピュータＳＣにおいては、ＣＰＵ２０１が、ステップＳ１３にて、前記ステップＳ１０の受信処理によって受信した装置ＩＤ情報または前記ステップＳ１２の受信処理によって受信した汎用端末装置Ｈのユーザ名を利用して、ユーザデータベース２０６ａを検索し、ユーザのメールボックスを特定する。具体的に説明すると、ＣＰＵ２０１は、受信した装置ＩＤ情報またはユーザ名に基づいてユーザデータベース２０６ａを検索し、受信した装置ＩＤ情報またはユーザ名と一致する装置ＩＤ情報またはユーザ名に関連付けられたメールボックス特定情報を取得する。これにより、現在サーバコンピュータＳＣにアクセスしている電子音楽装置Ｍ１または汎用端末装置Ｈを使用しているユーザのメールボックスを特定し、ステップＳ１４に進む。
【００４５】
ステップＳ１４においては、前記ステップＳ１３にて特定したメールボックスを検索し、同メールボックスに記憶されている電子メールを取得する。具体的に説明すると、ＣＰＵ２０１は、前記ステップＳ１３にて取得したメールボックス特定情報に基づいて、電子メールデータベース２０６ｂを利用して検索する。そして、特定したメールボックス内に記憶されている電子メールを取得し、同取得した電子メールをＲＡＭ２０４に一時的に記憶して、ステップＳ１５に進む。
【００４６】
ステップＳ１５においては、前記ステップＳ１４にてＲＡＭ２０４に一時的に記憶した電子メールを電子音楽装置Ｍ１または汎用端末装置Ｈに送信する。すなわち、ＣＰＵ２０１は、ＲＡＭ２０４から電子メールを取得し、通信Ｉ／Ｆ２０７およびネットワークＮＷを介して、電子音楽装置Ｍ１または汎用端末装置Ｈに送信する。
【００４７】
電子音楽装置Ｍ１においては、ＣＰＵ３１が、ステップＭ１３にて、インターフェース回路５１およびネットワークＮＷを介して前記ステップＳ１５の送信処理によって送信された電子メールを受信してステップＭ１４に進む。ステップＭ１４においては、ＣＰＵ３１は、表示器１３に受信した電子メールを表示させる。具体的に説明すると、ＣＰＵ３１は、バス２０を介して、表示制御回路１６に対して、受信した電子メールを表すデータを供給し、同供給したデータに基づいて、表示器１３に電子メールを表示するように指示する。
【００４８】
表示制御回路１６は、同指示に従って、取得した電子メールを表すデータに基づいて表示器１３を制御し、図９（ａ）に示すように、電子メールを表示する。このとき、電子メールは、表示器１３の表示機能に基づいて調整されているため、表示される文字などが大きく表示されるとともにカラー表示される。また、電子メールに、例えば、曲データが添付されている場合には、ユーザは、プッシュボタン１２ｆを押下操作することにより、添付された曲データを再生することができる。
【００４９】
また、ユーザがプッシュボタン１２ｂを押下操作することにより、例えば、差出人に対して返信メールを作成して送信することもできる。簡単に説明しておくと、プッシュボタン１２ｂが押下操作されると、例えば、表示画面が遷移し、表示器１３上にソフトウェアーキーボードが表示される。ユーザは、表示されたソフトウェアーキーボードを利用して、返信メールを作成する。そして、ＣＰＵ３１は、後述するステップＭ１５の「Ｎｏ」判定に基づいて、ふたたびステップＭ１３を実行し、サーバコンピュータＳＣのユーザのメールボックスに対して、返信メールを送信する。このようにメールボックスに送信された返信メールは、サーバコンピュータＳＣによりユーザの電子メールアカウントなどを利用して、周知の送信方法に従って、外部に送信される。
【００５０】
一方、電子音楽装置Ｍ２が上記各ステップを実行して、電子メールを表示した場合には、電子メールが表示器１３’の表示機能に基づいて調整されているため、図９（ｂ）に示すように、表示される文字などが小さく表示されるとともに白黒表示される。このため、例えば、表示される文字量が多い場合であっても、表示器１３’の表示可能領域に合わせて文字を小さくし、一画面内に全ての情報を表示することができる。
【００５１】
前記ステップＭ１４の表示処理後、ステップＭ１５に進み、ＣＰＵ３１は、ユーザによってサーバコンピュータＳＣから電子メールの送受信を終了する旨の指示がされたか否かを判定する。すなわち、ユーザによって終了する旨の指示がなければ、「Ｎｏ」と判定してふたたびステップＭ１３に戻り、終了する旨の指示がされるまでステップＭ１３とステップＭ１４の処理を繰り返し実行する。一方、ユーザによって終了する旨の指示がされれば、「Ｙｅｓ」と判定して、ステップＭ１６に進み、電子メール送受信プログラムを一旦終了する。
【００５２】
また、汎用端末装置Ｈにおいては、ＣＰＵ１３１が、ステップＣ１３からステップＣ１６の処理を実行して、表示器１１３に電子メールを表示したり、電子メールを返信したりすることができる。なお、ステップＣ１３からステップＣ１６までの各処理は、上述した電子音楽装置Ｍ１のＣＰＵ３１が実行するステップＭ１３からステップＭ１６までの処理と同様であるため、その説明を省略する。
【００５３】
以上の説明からも理解できるように、本実施形態によれば、電子音楽装置Ｍ１または電子音楽装置Ｍ２からネットワークＮＷ上のサーバコンピュータＳＣに接続する際に、装置ＩＤ情報を送信することで、自身の電子メールボックスにアクセスすることができる。これにより、ユーザは、電子メールを送受信するために、例えば、ユーザ名やパスワードを入力する必要がない。このため、電子音楽装置Ｍ１，Ｍ２のように、別途入力手段（キーボードやマウスなど）を備えていなくても、極めて容易に電子メールを送受信することができる。
【００５４】
また、サーバコンピュータＳＣは、電子音楽装置Ｍ１または電子音楽装置Ｍ２のユーザを特定するユーザ情報に関連付けて構築されたメールボックスに電子メールを記憶している。このため、サーバコンピュータＳＣは、アクセスした電子音楽装置Ｍ１または電子音楽装置Ｍ２の装置ＩＤ情報を取得することで、ユーザを特定するとともにユーザのメールボックスを特定し、ユーザの電子メールを送受信することができる。これによっても、ユーザは、電子メールを送受信するために、例えば、ユーザ名やパスワードを入力する必要がない。このため、電子音楽装置Ｍ１，Ｍ２のように、別途入力手段（キーボードやマウスなど）を備えていなくても、極めて容易に電子メールを送受信することができる。
【００５５】
２．第２実施形態
上記第１実施形態においては、電子音楽装置Ｍ１，Ｍ２および汎用端末装置ＨがサーバコンピュータＳＣにアクセスし、サーバコンピュータＳＣがこれら各装置を利用するユーザのメールボックスを特定して電子メールすなわちテキストデータを送受信するように実施した。このように、テキストデータを送受信することができるため、電子メールに代えて、図１０に概略的に示すように、サーバコンピュータＳＣに設けられた掲示板に登録されたテキストデータを、電子音楽装置Ｍ１，Ｍ２の機種に応じて送信するように実施することも可能である。以下、この第２実施形態を説明するが、上記第１実施形態と実質的に同一の部分には同一の符号を付してその詳細な説明を省略する。
【００５６】
この第２実施形態におけるサーバコンピュータＳＣは、外部記憶装置２０５のユーザデータベース２０６ｃに記憶されているユーザ情報に関連付けて（紐付けして）電子音楽装置Ｍ１，Ｍ２の機種を表す機種情報を記憶している。また、この第２実施形態におけるサーバコンピュータＳＣは、外部記憶装置２０５のハードディスクＨＤ内に上記第１実施形態の電子メールデータベース２０６ｂに代えてまたは加えて、掲示板データベース２０６ｃが構築されている。この掲示板データベース２０６ｃには、電子音楽装置Ｍ１，Ｍ２の機種ごとにカテゴリー分けして登録された複数カテゴリーの掲示板テキストデータが検索可能に記憶されている。このため、各掲示板テキストデータのカテゴリーには、電子音楽装置Ｍ１，Ｍ２の機種情報が関連付けられて（紐付けられて）いる。なお、１つの機種に対して、１つのカテゴリーが対応付けられているものに限らず、複数の機種をグループ化して１つのカテゴリーと対応付けてもよい。
【００５７】
そして、この第２実施形態における掲示板テキストデータ送受信プログラムは、図１１のフローチャートに示すように、図８のフローチャートのステップＳ１２〜Ｓ１４が省略されるとともに、ステップＳ５０〜Ｓ５２およびステップＣ５０が追加されている。すなわち、サーバコンピュータＳＣのＣＰＵ２０１は、前記ステップＳ１１の「Ｎｏ」判定に基づいて、ステップＳ５０にて、現在アクセスしている電子音楽装置Ｍ１または電子音楽装置Ｍ２の機種を特定する。具体的に説明すると、ＣＰＵ２０１は、前記ステップＳ１０にて受信した装置ＩＤ情報を利用して、ユーザデータベース２０６ａを検索する。そして、受信した装置ＩＤ情報と一致する装置ＩＤ情報に関連付けられた機種情報を取得して機種を特定し、ステップＳ５１に進む。
【００５８】
ステップＳ５１においては、前記ステップＳ５０にて特定した機種に対応するカテゴリーの掲示板を特定する。すなわち、ＣＰＵ２０１は、前記ステップＳ５０にて取得した機種情報を利用して、前記機種情報と一致する機種情報に関連付けられたカテゴリーの掲示板テキストデータを抽出してＲＡＭ２０４に一時的に記憶し、ステップＳ１５に進む。
【００５９】
一方、前記ステップＳ１１において、汎用端末装置Ｈからのアクセスと判定すなわち「Ｙｅｓ」判定に基づいて、ＣＰＵ２０１は、ステップＳ５２にて、掲示板特定ページ情報を汎用端末装置Ｈに送信するとともに、掲示板の特定情報を受信する。この掲示板特定ページ情報は、現在掲示板データベース２０６ｃに登録されている掲示板テキストデータの機種名またはカテゴリーを表したページ情報である。
【００６０】
汎用端末装置Ｈにおいては、ＣＰＵ１３１が、ステップＣ５０にて、前記ステップＳ５２の送信処理により送信された掲示板特定ページ情報を受信するとともに、掲示板の特定情報を送信する。具体的に説明すると、ＣＰＵ１３１は、受信した掲示板特定ページ情報を表示器１１３に表示させるとともに、ユーザに対して、確認を希望する機種名またはカテゴリーを選択するように促す。ユーザは、キーボード１６１またはマウス１６１ａを利用して、機種名またはカテゴリーを選択して決定する。このように機種名またはカテゴリーが決定されると、ＣＰＵ１３１は、決定された機種名またはカテゴリーを表す特定情報をサーバコンピュータＳＣに送信する。
【００６１】
サーバコンピュータＳＣにおいては、ＣＰＵ２０１が、ステップＳ１５にて、前記ステップＳ５１にて特定したカテゴリーの掲示板テキストデータまたは前記ステップＳ５２にて受信した特定情報に対応するカテゴリーの掲示板テキストデータを電子音楽装置Ｍ１、電子音楽装置Ｍ２または汎用端末装置Ｈに送信する。電子音楽装置Ｍ１、電子音楽装置Ｍ２または汎用端末装置Ｈにおいては、上記第１実施形態と同様にして、ステップＭ１３またはステップＣ１３にて、掲示板テキストデータを受信し、ステップＭ１４またはステップＣ１４にて掲示板テキストデータを表示する。このとき、電子音楽装置Ｍ１または電子音楽装置Ｍ２においては、それぞれの表示器１３，１３’の表示機能に対応して、掲示板テキストデータが表示される。
【００６２】
以上の説明からも理解できるように、電子音楽装置Ｍ１，Ｍ２がサーバコンピュータＳＣから掲示板テキストデータを取得する場合においては、掲示板を特定する情報を入力することなく、極めて容易にサーバコンピュータＳＣにアクセスすることができ、掲示板テキストデータを受信することができる。また、サーバコンピュータＳＣは、アクセスした電子音楽装置Ｍ１または電子音楽装置Ｍ２の装置ＩＤ情報を取得することで、電子音楽装置Ｍ１または電子音楽装置Ｍ２の機種を特定し、掲示板テキストデータを提供することができる。これによっても、ユーザは、掲示板テキストデータを取得するために、例えば、掲示板を特定する情報を入力する必要がない。このため、電子音楽装置Ｍ１，Ｍ２のように、別途入力手段（キーボードやマウスなど）を備えていなくても、極めて容易に掲示板テキストデータを取得することができる。なお、装置ＩＤは、専用サイト以外の一般サイトにて取得されユーザ名などの個人情報と結び付けて蓄積されることを防ぐため、特定のドメイン（専用サイト）以外には送出しない。このため、ＳＳＬ（Secure Socket Layer）などでの経路の安全が確認できない場合には、装置ＩＤを送出しないなどの制限を加えることが好ましい。
【００６３】
さらに、上記第１実施形態および第２実施形態においては、本発明を演奏操作子としての鍵盤１１を備えた電子楽器の形態を有する電子音楽装置Ｍ１，Ｍ２に適用した例について説明したが、本発明は、表示器を有するとともに外部との交信を可能とする電子楽器であれば、タッチプレート、押しボタン、弦などを演奏操作子として備えた種々の電子楽器の形態を有する電子音楽装置にも適用できるものである。また、演奏操作子を備えた電子楽器の形態を有していなくても、表示器を有することを条件に、楽音信号を発生させるとともに外部と交信して各種情報を取得する電子音楽装置のシーケンサ（自動演奏装置）、音源、ミキサー、エフェクタ、レコーダ、コンピュータ装置には、広く適用できる。
【００６４】
さらに、本発明に実施にあたっては、上記第１実施形態および第２実施形態に限定されるものではなく、本発明の目的を逸脱しない限りにおいて種々の変形も可能である。
【図面の簡単な説明】
【００６５】
【図１】本発明の第１実施形態および第２実施形態に係る電子音楽装置、汎用端末装置およびサーバコンピュータが接続されたネットワークを示す概略ブロック図である。
【図２】図１に示した本発明の第１実施形態および第２実施形態に係る電子音楽装置および汎用端末装置の概略ブロック図である。
【図３】図２に示した電子音楽装置のＲＯＭの各種記憶エリアを示すマップである。
【図４】図１に示した本発明の第１実施形態および第２実施形態に係るサーバコンピュータの概略ブロック図である。
【図５】図２に示した電子音楽装置の表示器における表示画面の表示例を示す図である。
【図６】図２に示した電子音楽装置の表示器におけるコンテンツメニューの表示例を示す図である。
【図７】本発明の第１実施形態に係る電子音楽装置および汎用端末装置とサーバコンピュータとの間の電子メールの取得の流れを説明するための概略図である。
【図８】本発明の第１実施形態に係る電子メール送受信プログラムを示すフローチャートである。
【図９】図２に示した電子音楽装置の表示器における電子メールの表示例を示す図である。
【図１０】本発明の第２実施形態に係る電子音楽装置および汎用端末装置とサーバコンピュータとの間の掲示板テキストデータの取得の流れを説明するための図である。
【図１１】本発明の第２実施形態に係る掲示板テキストデータ送受信プログラムを示すフローチャートである。
【符号の説明】
【００６６】
１１…鍵盤、１２…パネル操作子群、１３，１３’、１１３…表示器、３１，１３１…ＣＰＵ、３３，１３３…ＲＯＭ、３４，１３４…ＲＡＭ、３５，１３５…外部記憶装置、４１，１４１…音源回路、４２，１４２…効果回路、５１，１５１…インターフェース回路、２０１…ＣＰＵ、２０３…ＲＯＭ、２０４…ＲＡＭ、２０５…外部記憶装置、２０６ａ…ユーザデータベース、２０６ｂ…電子メールデータベース、２０６ｃ…掲示板データベース、２０７…通信Ｉ／Ｆ、Ｍ１，Ｍ２…電子音楽装置、Ｈ…汎用端末装置、ＳＣ…サーバコンピュータ、ＮＷ…ネットワーク
【図１】
2005181824.tif 000003
【図２】
2005181824.tif 000004
【図３】
2005181824.tif 000005
【図４】
2005181824.tif 000006
【図５】
2005181824.tif 000007
【図６】
2005181824.tif 000008
【図７】
2005181824.tif 000009
【図８】
2005181824.tif 000010
【図９】
2005181824.tif 000011
【図１０】
2005181824.tif 000012
【図１１】
2005181824.tif 000013